(57)【要約】【課題】構成が簡易であって、製造が容易であり、製造コストを低減できる塗布具を提供することを課題とする。【解決手段】塗布材を塗布するための塗布部１０を先端に具備して成る塗布具１００において、塗布具１００の先端を構成する塗布部１０を、その内部に設けた袋状空間１０ａに対して、加熱用ヒータ２０を進入配置することによって構成するようにする。このような塗布具により、その構成を簡易として製造を容易とし、これによって製造コストを低減する。【選択図】図５
2010046265.tif 000002
【特許請求の範囲】
【請求項１】
塗布材を塗布するための塗布部を先端に具備した塗布具において、
前記塗布部は、内部に袋状空間を有する本体を備え、
この袋状空間に加熱用ヒータが進入配置されていることを特徴とする塗布具。
【請求項２】
前記塗布部は、ヘラ状に構成されていることを特徴とする請求項１記載の塗布具。
【請求項３】
前記本体は、前記袋状空間を画成すると共に外側の表裏面に対応する内側の面であって前記加熱用ヒータに接触する片側の面又は両側の面に、凹凸を有することを特徴とする請求項２記載の塗布具。
【請求項４】
前記本体は、その塗布面に凹凸を有することを特徴とする請求項２又は３記載の塗布具。
【請求項５】
前記塗布部は、外側の表面又は裏面と前記加熱用ヒータとの間隔が、局所的に他の部分に比して狭い部分を有することを特徴とする請求項２〜４の何れか一項に記載の塗布具。
【請求項６】
前記塗布部に対して、流動性を有する塗布材が使用者の操作により押し出し可能とされ、
前記本体には、押し出されてくる前記塗布材をその先端側へ流すための流路が内部に設けられると共に、この流路に連通し前記塗布材を外部に出現させるための開口が設けられていることを特徴とする請求項１〜５の何れか一項に記載の塗布具。
【請求項７】
前記本体は、これを先端に備え使用者により把持される把持部に対して着脱可能とされ、
他の本体と交換可能とされていることを特徴とする請求項１〜６の何れか一項に記載の塗布具。
【発明の詳細な説明】
【技術分野】
【０００１】
本発明は、塗布材を塗布するための塗布部を先端に備えた塗布具に関する。
【背景技術】
【０００２】
従来、化粧料を塗布するための塗布具として、塗布具の先端の塗布部を加熱するタイプが知られている。以下の特許文献１、２にはマスカラ塗布具が開示され、以下の特許文献３にはパフが開示されている。
【０００３】
具体的には、特許文献１の塗布具の塗布部は、湾曲する板状基台の一方側の面にニクロム線が露出するように埋設され、このニクロム線が露出する基台の一方側の面に毛材が密に植毛されると共に、反対側の面にコーム状の突出片が多数立設された構成を有するもので、ニクロム線に通電しない状態で突出片によりマスカラ剤を睫毛に塗布し、次いで、ニクロム線に通電し毛材を温めた状態で当該毛材により睫毛を押えることによりマスカラ剤の癖付け及び乾燥を行い、これにより所望のカール効果を得るというものである。
【０００４】
また、特許文献２の塗布具の塗布部は、加熱部基台の上面にニクロム線が配設されると共に当該ニクロム線が加熱部固定部により加熱部基台に固定され、このニクロム線を上方から離間して覆う載置片が加熱部基台に取り付けられた構成を有するもので、載置片上にシート状マスカラ剤を載置した状態でニクロム線に通電することによりシート状マスカラ剤を溶融又は軟化させ、この状態で載置片及びこれの両端側に設けられている尖鋭部により睫毛に塗布するというものである。
【０００５】
また、特許文献３の塗布具の塗布部は、電気発熱体をパフに埋設した構成を有するもので、電気発熱体をオンにした状態で当該パフを塗布に用いることにより、冷えた肌を温めながら塗布でき化粧のりが良くなるというものである。
【特許文献１】特開２００８−１１９４５３号公報
【特許文献２】特開２００６−１６９２２９号公報
【特許文献３】実開昭６３−０８３１０８号公報
【発明の開示】
【発明が解決しようとする課題】
【０００６】
しかしながら、上記何れの特許文献に記載の塗布部にあっても、その構成上から製造に時間を要し、製造コストが高くなるという問題がある。
【０００７】
本発明は、このような課題を解決するために成されたものであり、構成が簡易で製造が容易であり、製造コストを低減できる塗布具を提供することを目的とする。
【課題を解決するための手段】
【０００８】
本発明による塗布具は、塗布材を塗布するための塗布部を先端に具備した塗布具において、塗布部は、内部に袋状空間を有する本体を備え、この袋状空間に加熱用ヒータが進入配置されていることを特徴としている。
【０００９】
このような塗布具によれば、塗布具先端を構成する塗布部は、その内部に設けられた袋状空間に加熱用ヒータを進入配置することで構成されるため、その構成が簡易で製造が容易であり、製造コストを低減できる。
【００１０】
ここで、塗布部は、ヘラ状に構成されているのが好適である。
【００１１】
また、本体は、袋状空間を画成すると共に外側の表裏面に対応する内側の面であって加熱用ヒータに接触する片側の面又は両側の面に、凹凸を有していると、凹凸を有する面にあっては凸部のみが加熱用ヒータに接触するため、この凹凸面に対応する（凹凸面側の）外側の面への熱の伝わり方を、全面が加熱用ヒータに接触する場合に対して変えることができる。また、片側の面が凹凸を有する場合には、加熱用ヒータと外側の表裏面との各々の間隔が略等しい場合であっても、凹凸面側の外側の面を、これとは反対側の外側の面に比して低温とすることができる。
【００１２】
また、本体は、その塗布面に凹凸を有していると、凹部は凸部に比して加熱用ヒータに近く高温であり、凸部は低温であるため、例えば、高温の凹部で化粧料（固形状又はペースト状又は半固体状又は軟固形状又は軟質状等の化粧料）を溶融又は軟化させて溜めた状態とし、低温で適温の凸部を例えば肌等に当てて押し潰しながら、溜められている溶融又は軟化化粧料を塗布することができる。
【００１３】
また、塗布部は、外側の表面又は裏面と加熱用ヒータとの間隔が、局所的に他の部分に比して狭い部分を有していると、この間隔が狭い方の外側の面の局所的な部分は、他の部分に比して高温であるため、例えば、高温の局所的な部分で上記化粧料を溶融又は軟化させ、低温で適温の他の部分で溶融又は軟化化粧料を塗布することができる。
【００１４】
また、塗布部に対して、流動性を有する塗布材が使用者の操作により押し出し可能とされ、本体には、押し出されてくる塗布材をその先端側へ流すための流路が内部に設けられると共に、この流路に連通し塗布材を外部に出現させるための開口が設けられていると、塗布部から塗布材を出現させての塗布が可能となると共に、加熱用ヒータにより流路の塗布材が加熱されることから高粘度の塗布材であっても流動性が高められ当該塗布材を支障無く流路に流し開口から出現させての塗布が可能となる。
【００１５】
また、本体は、これを先端に備え使用者により把持される把持部に対して着脱可能とされ、他の本体と交換可能とされていると、例えば、前述した内側の面に凹凸を有する本体や、塗布面に凹凸を有する本体等の他の本体を使用することができ、本体を選択して使用することができる。
【発明の効果】
【００１６】
本発明によれば、構成が簡易で製造が容易であり、製造コストを低減できる塗布具を提供することが可能となる。
【発明を実施するための最良の形態】
【００１７】
以下、本発明による塗布具の好適な実施形態について図１〜図１９を参照しながら説明する。なお、各図において、同一の要素には同一の記号を付し、重複する説明は省略する。
【００１８】
図１〜図６は、本発明の第一実施形態を、図７〜図１１は、本発明の第二〜第六実施形態を、図１２及び図１３は、本発明の第七実施形態を、図１４は、本発明の第八実施形態を、図１５は、本発明の第九実施形態を、図１６〜図１９は、本発明の第十実施形態を、各々示すものである。
【００１９】
先ず、第一実施形態を説明する。図１は、本発明の第一実施形態に係る塗布具をキャップと共に示す斜視図、図２は、塗布具の側面図、図３は、塗布具の下面図、図４は、塗布具の斜視図、図５は、塗布部の側面図、図６は、塗布具の分解斜視図であり、本実施形態の塗布具は、温熱機能を備えた塗布具であり、具体的には、この温熱機能により塗布材を溶融又は軟化させると共に、この溶融又は軟化塗布材を塗布することができるものである。特に、本実施形態にあっては、塗布材が、固形状又はペースト状、さらには、半固体状又は軟固形状又は軟質状等の化粧料とされ、従って、本実施形態の塗布具は、このような化粧料を溶融又は軟化させて肌等に直接塗布することができるものである。
【００２０】
図１〜図５に示すように、本実施形態の塗布具１００は、使用者により把持される把持部１と、この把持部１より先端の塗布部１０と、を備える。
【００２１】
把持部１は有底筒状に構成され、電池及び制御基板を有する電源部（不図示）を内蔵すると共に、電池による通電／通電解除を行うためのスイッチ２（図１及び図２参照）を外部に露出して備えている。
【００２２】
塗布部１０は、前述した化粧料（固形状又はペースト状又は半固体状又は軟固形状又は軟質状等の化粧料）を塗布するためのものであることは勿論のこと、当該化粧料を溶融又は軟化させるためのものであり、ここでは、特にその外形形状が扁平なヘラ状とされている。このヘラ状を成す塗布部１０は、当該ヘラ状の外形を形成する本体１０ｘを具備し、この本体１０ｘの内部に、図５及び図６に示すように、袋状空間１０ａを備え、この袋状空間１０ａに、本体１０ｘを温めるための加熱用ヒータ２０が進入配置された状態で塗布部１０が構成されている。この本体１０ｘは、加熱用ヒータ２０の熱を効率良く本体１０ｘの外面に伝導すべく、合成ゴム、天然ゴム等のゴム類や、熱可塑性エラストマー等の樹脂より成る。
【００２３】
この袋状空間１０ａは、図６に示すように、外形がヘラ状に構成された本体１０ｘの表裏面に対応するように扁平な形状とされ、この扁平な袋状空間１０ａに対して、面状（シート状）発熱体で構成された加熱用ヒータ２０が進入配置されている。なお、ここでは、特に好ましいとして、加熱用ヒータ２０として面状発熱体が用いられている。
【００２４】
この加熱用ヒータ２０は、上記電源部に接続され、スイッチ２のオン・オフに従い電池による通電／通電解除が可能とされている。また、図１に示すように、把持部１に対しては、塗布部１０を覆い保護するためのキャップ３０が着脱可能に装着される。
【００２５】
そして、外部に露出したスイッチ２が使用者により前後方向にスライドされてオンにされると、電池による加熱用ヒータ２０への通電が成され、スイッチ２が使用者により逆方向にスライドされてオフにされると、加熱用ヒータ２０への通電が解除される構成とされている。
【００２６】
このような構成を有する塗布具１００は、図６に示すように、把持部１から加熱用ヒータ２０が前方に突出する構成とされ、塗布部１０を構成する本体１０ｘを、その袋状空間１０ａに加熱用ヒータ２０が進入するように当該加熱用ヒータ２０に被せていき、この本体１０ｘを把持部１に装着することで、簡易に得られる。
【００２７】
そして、このようにして得られた塗布具１００にあっては、例えば以下のように使用することができる。すなわち、使用者は、先ず、スイッチ２をオンし、これにより加熱用ヒータ２０を作動させて塗布部１０を昇温させ、次いで、塗布部１０の外面（表裏面の少なくとも一方の面）を、前述した化粧料（固形状又はペースト状又は半固体状又は軟固形状又は軟質状等の化粧料）に接触させ、これにより当該化粧料を溶融又は軟化させる。このとき、化粧料に接触する塗布部１０の外面は、化粧料を溶融又は軟化させるのに最適な温度に昇温されている。
【００２８】
そして、使用者は、この溶融又は軟化化粧料に塗布部１０の塗布面となる表面又は裏面を浸して当該塗布面に溶融又は軟化化粧料を付け、肌等に塗布することができる。また、昇温した塗布部１０の塗布面となる表面又は裏面に前述した化粧料を乗せ、これにより当該化粧料を溶融又は軟化させ、この状態で、溶融又は軟化化粧料を肌等に塗布しても良い。
【００２９】
斯くの如く、塗布部１０が昇温され前述した化粧料が溶融又は軟化した状態で使用に供されるため、常温では塗布し難い固形状や高粘度の化粧料が、加温により粘度が下げられて塗布性が高められた状態で塗布される。
【００３０】
そして、特に本実施形態の塗布具１００によれば、塗布部１０が、その内部に設けられた袋状空間１０ａに加熱用ヒータ２０を進入配置することで構成されるため、その構成が簡易で製造が容易であり、製造コストを低減できる。
【００３１】
また、昇温した塗布部１０の塗布面に肌が直接触れるため、肌や毛を温める効果があり、塗布感の向上や、血行の促進による肌の活性化や、毛穴の拡張や熱による表皮汚れの除去性の向上等が図られる。
【００３２】
さらに、塗布部１０の本体１０ｘがゴムや樹脂より成るため、本体１０ｘの塗布面に付着した化粧料や汚れ等を容易に除去できる。
【００３３】
なお、加熱用ヒータ２０は、制御基板により管理することで最適な温度としても良く、また、予め加熱用ヒータ２０の電気抵抗値を適正な値に設定することで最適な温度としても良い。また、電源部は電池により構成する以外に、外部電源に接続可能として当該外部電源から電力が供給される構成としても良い。さらにまた、本実施形態にあっては、特に肌に化粧料を塗布する場合に好適な例を述べているが、肌以外の部分に化粧料を塗布する場合にも適用できる。
【００３４】
図７は、本発明の第二実施形態に係る塗布具の塗布部の横断面図である。
【００３５】
この第二実施形態の塗布具１０１が第一実施形態の塗布具１００と違う点は、本体１０ｘに代えて、外側の表裏面（図示上下面）に対応する内側の面であって加熱用ヒータ２０に接触する片側の面（本実施形態では図示上面）に凹凸１１ｂを有すると共に、この凹凸１１ｂにより、加熱用ヒータ２０が進入配置される袋状空間が図示上側の空間部分に凹凸を有する袋状空間１１ａとされた本体１１ｘを用いた点である。そして、この本体１１ｘと、これに進入配置された加熱用ヒータ２０とにより、塗布部１１が構成されている。
【００３６】
このような第二実施形態の塗布具１０１によれば、袋状空間１１ａを画成する片側の図示上側の面（凹凸を有する面）においては凸部のみが加熱用ヒータ２０に接触するため、この凹凸面に対応する（凹凸面側の）外側の面（本実施形態では図示上側の外面）への熱の伝わり方を、全面が加熱用ヒータ２０に接触する第一実施形態の場合に対して変えることができる。
【００３７】
また、本実施形態のように、袋状空間１１ａを画成する片側の面が凹凸１１ｂを有する場合には、加熱用ヒータ２０と外側の表裏面（図示上下面）との各々の間隔が略等しい場合であっても、凹凸面側の外側の面（本実施形態では図示上側の外面）を、これとは反対側の外側（本実施形態では図示下側の外面）の面に比して低温とすることができる。従って、このような構成の場合には、肌に触れる塗布面を熱過ぎずに適温とすべく、凹凸面側の外側の面を塗布面とするのが好ましい。
【００３８】
なお、本実施形態では、袋状空間を画成する片側の面のみに凹凸を設けているが、両側の面に凹凸を設けるようにしても良い。
【００３９】
図８は、本発明の第三実施形態に係る塗布具の塗布部を示す斜視図、図９は、本発明の第四実施形態に係る塗布具の塗布部を示す斜視図、図１０は、本発明の第五実施形態に係る塗布具の塗布部を示す斜視図である。
【００４０】
この第三〜第五実施形態の塗布具１０２，１０３，１０４が第一実施形態の塗布具１００と違う点は、本体１０ｘに代えて、その塗布面（図示上面）に凹凸を有する本体１２ｘ，１３ｘ，１４ｘを各々用いた点である。そして、各本体１２ｘ，１３ｘ，１４ｘと、各々に進入配置された加熱用ヒータ２０とにより、塗布部１２，１３，１４が各々構成されている。
【００４１】
具体的には、図８に示す第三実施形態の塗布具１０２の塗布部１２にあっては、上から見て長円状を成す塗布面の周縁であって先端側を含み把持部１側を除く略Ｕ字状を成す周縁が、図示上方に突出する凸部１２ｃとされると共に、前後方向に延び対向する周縁部分同士の間に凸部１２ｄが設けられ、これらの凸部１２ｃ，１２ｄ間が反対方向（図示下方）に向かって凹む凹部１２ｅ，１２ｅとされている。
【００４２】
また、図９に示す第四実施形態の塗布具１０３の塗布部１３にあっては、上から見て長円状を成す塗布面の周縁が、凸部１３ｃとされると共に、この凸部１３ｃで囲まれた領域が、反対方向（図示下方）に向かって平坦に凹む凹部１３ｅとされている。
【００４３】
また、図１０に示す第五実施形態の塗布具１０４の塗布部１４にあっては、上から見て長円状を成す塗布面の周縁が、凸部１４ｃとされると共に、この凸部１４ｃで囲まれた領域が、反対方向（図示下方）に向かって周縁から徐々に凹み長円の中心長軸の辺りが最も深く凹む凹部１４ｅとされている。
【００４４】
このような第三〜第五実施形態の塗布具１０２〜１０４によれば、凹部１２ｅ，１３ｅ，１４ｅは凸部１２ｃ，１２ｄ，１３ｃ，１４ｃに比して、内蔵されている加熱用ヒータ２０に近く高温であり、凸部１２ｃ，１２ｄ，１３ｃ，１４ｃは低温であるため、例えば、高温の凹部１２ｅ，１３ｅ，１４ｅで前述した化粧料（固形状又はペースト状又は半固体状又は軟固形状又は軟質状等の化粧料）を溶融又は軟化させて溜めた状態とし、低温で適温の凸部１２ｃ，１２ｄ，１３ｃ，１４ｃを肌に当てて押し潰しながら、溜められている溶融又は軟化化粧料を塗布することができる。
【００４５】
図１１は、本発明の第六実施形態に係る塗布具の塗布部を示す側面図である。
【００４６】
この第六実施形態の塗布具１０５が第一実施形態の塗布具１００と違う点は、本体１０ｘに代えて、外側の何れか一方の面（表面又は裏面）と加熱用ヒータ２０との間隔が、局所的に他の部分に比して狭い部分を有する本体１５ｘを用いた点である。特に、この実施形態では、先端の部分において図示上面と加熱用ヒータ２０との間隔が、局所的に他の部分に比して狭くされている。そして、このような本体１５ｘと、これに進入配置された加熱用ヒータ２０とにより、塗布部１５が構成されている。
【００４７】
このような第六実施形態の塗布具１０５によれば、先端の図示上面が他の部分に比して高温であるため、この高温部で前述した化粧料（固形状又はペースト状又は半固体状又は軟固形状又は軟質状等の化粧料）を溶融又は軟化させ、低温で適温の他の部分で溶融又は軟化化粧料を塗布することができる。
【００４８】
なお、ここでは、特に好適であるとして、先端の部分において、何れか一方の外面と加熱用ヒータ２０との間隔を狭くしているが、先端以外の部分に対しても適用可能である。
【００４９】
図１２は、本発明の第七実施形態に係る塗布具の塗布部を示す側面図、図１３は、図１２に示す塗布具の塗布部の下面図である。
【００５０】
この第七実施形態の塗布具１０６が第一実施形態の塗布具１００と違う点は、把持部１内の収容領域に、流動性を有する化粧料（塗布材；不図示）が収容されると共に、使用者の操作により、当該把持部１内の収容領域の化粧料が先端側に押し出される構成が採用されている点と、本体１０ｘに代えて、押し出されてくる化粧料をその先端側へ流すべく上記収容領域に連通され前後方向に延びる流路１６ｆが内部に設けられると共に、この流路１６ｆの先端側に連通し化粧料を外部に出現させるための開口１６ｇが設けられた本体１６ｘを用いた点である。そして、この本体１６ｘと、これに進入配置された加熱用ヒータ２０とにより、塗布部１６が構成されている。なお、ここで用いられる流動性を有する化粧料とは、液状化粧料や、半固体状又は軟固形状又は軟質状又はペースト状等の流動性を有する化粧料のことである。
【００５１】
このような第七実施形態の塗布具１０６によれば、把持部１側から押し出されてくる流動性を有する化粧料を塗布部１６から出現させての塗布が可能になると共に、加熱用ヒータ２０により流路１６ｆの化粧料が加熱されることから、高粘度の化粧料であってもその流動性が高められ当該化粧料を支障無く流路１６ｆに流し開口１６ｇから出現させて塗布することができる。
【００５２】
なお、流動性を有する化粧料を先端側へ押し出す押出機構としては、例えば、螺子による押出機構やノック式の押出機構等の機械的機構が種々挙げられるが、このような機械的押出機構を用いない例えばチューブやソフトボトル等の単純なスクイーズ式の容器に対しても適用でき、要は、流動性を有する化粧料が使用者の操作（チューブやソフトボトルを押し潰す操作を含む）により押し出し可能とされていれば良い。
【００５３】
図１４は、本発明の第八実施形態に係る塗布具の塗布部を示す下面図である。
【００５４】
この第八実施形態の塗布具１０７が第七実施形態の塗布具１０６と違う点は、本体１６ｘに代えて、先の流路１６ｆに比して幅広とされた流路１７ｆを備える本体１７ｘを用いた点である。そして、この本体１７ｘと、これに進入配置された加熱用ヒータ２０とにより、塗布部１７が構成されている。
【００５５】
このような第八実施形態の塗布具１０７にあっても、先の第七実施形態の塗布具１０６とほぼ同様な作用・効果を奏するというのはいうまでもない。
【００５６】
図１５は、本発明の第九実施形態に係る塗布具の一部破断分解斜視図である。この第九実施形態の塗布具１０８にあっては、袋状空間１０ａを有するヘラ状の本体１０ｘのその袋状空間１０ａに加熱用ヒータ２０が進入配置された第一実施形態と同様な塗布部１０が用いられ、この加熱用ヒータ２０の後端に正負のコネクタ（端子）２５，２５を各々接続し、これらのコネクタ２５，２５の後端部が後側に突出するように塗布部ホルダ２６によって塗布部１０の後端部側を覆って成る組立体２７を、電源部を内蔵すると共にスイッチを有する把持部２１のその先端に装着して成るもので、この装着により、コネクタ２５，２５と把持部２１の電源部とが電気的に接続されたものである。
【００５７】
このように構成された第九実施形態の塗布具１０８にあっても、第一実施形態と同様な作用・効果、すなわち、塗布具１０８の先端を構成する塗布部１０が、その内部に設けられた袋状空間１０ａに加熱用ヒータ２０を進入配置することで構成されるため、その構成が簡易で製造が容易であり、製造コストを低減できるという作用・効果を奏するというのはいうまでもない。
【００５８】
なお、第二〜第八実施形態の塗布部１１〜１７の各々に対して、本実施形態のコネクタ２５，２５、塗布部ホルダ２６及び把持部２１を採用することも勿論可能である。
【００５９】
また、第一〜第八実施形態の塗布部１０〜１７の各々に対してコネクタ２５，２５、塗布部ホルダ２６を採用した各々の組立体、及び、上記第九実施形態の組立体２７が、把持部２１に対して着脱可能とされ、他の組立体（第一〜第九実施形態の組立体）と交換可能とすることもできる。そして、装着によりコネクタ２５，２５と把持部２１の電源部とが電気的に接続され、加えて、第七及び第八実施形態で説明したように、塗布部側に流路があり、把持部側に化粧料収容領域がある場合には、装着によりこれらが連通され、従って、例えば、前述した内側の面に凹凸１１ｂを有する本体１１ｘや、塗布面に凹凸を有する本体１２ｘ、１３ｘ、１４ｘ等の他の本体を使用することができ、本体を選択して使用することができる。
【００６０】
同様にして、第一〜第八実施形態の何れの実施形態においても、本体１０ｘ〜１７ｘが、把持部１に対して着脱可能とされ、他の本体と交換可能とされていると、装着によりその袋状空間に加熱用ヒータが進入配置され、加えて、第七及び第八実施形態で説明したように、塗布部側に流路があり、把持部側に化粧料収容領域がある場合には、装着によりこれらが連通され、例えば、第一〜第八実施形態のもの同士で例えば前述した内側の面に凹凸１１ｂを有する本体１１ｘや、塗布面に凹凸を有する本体１２ｘ、１３ｘ、１４ｘ等の他の本体を使用することができ、本体を選択して使用することができる。
【００６１】
また、上記第一〜第九実施形態にあっては、加熱用ヒータ２０を面状発熱体としているが、線状発熱体であるニクロム線等を用いることも可能である。
【００６２】
図１６は、本発明の第十実施形態に係る塗布具の分解斜視図である。
【００６３】
この第十実施形態の塗布具１０９が第九実施形態の塗布具１０８と違う点は、本体１０ｘ、この本体１０ｘの袋状空間１０ａに進入配置された加熱用ヒータ２０、コネクタ２５，２５及び塗布部ホルダ２６を有する組立体２７に代えて、加熱用ヒータ４０を本体１９ｘにインサート成形することで構成した塗布部１９を用いた点である。
【００６４】
この塗布部１９は、ヘラ状の外形を形成する本体１９ｘを具備し、この本体１９ｘの内部に、加熱用ヒータ４０が進入配置されて成る。そして、把持部２１に塗布部１９が装着されることで、加熱用ヒータ４０と把持部２１の電源部とが電気的に接続される。なお、ここでは、加熱用ヒータ４０を線状発熱体であるニクロム線で構成しているが、面状発熱体としても良い。
【００６５】
次に、このような構成を有する塗布具１０９の塗布部１９の製造方法について図面を参照しながら説明する。図１７は、図１６中の塗布部を得るインサート成形の様子を説明するための図であり、成形型内に加熱用ヒータを進入配置した状態図、図１８は、図１７に続く図であり、インサート成形中の状態図、図１９は、図１８に続く図であり、成形型を離型し塗布部を取り出した状態図である。
【００６６】
先ず、図１７に示すように、本体１９ｘの外形形状に対応する内形形状を備える成形型である上型５０ａ，５０ｂを用意し、次いで、この成形型５０ａ，５０ｂ内に加熱用ヒータ４０を進入配置する。
【００６７】
次いで、図１８に示すように、成形型５０ａ，５０ｂ内において本体１９ｘの構成材料であるゴム類や樹脂を溶融状態として、当該材料により加熱用ヒータ４０を包むインサート成形を行う。なお、このようなインサート成形は、コンプレッション成形、トランスファー成形、インジェクション成形の何れの成形法を用いても良い。
【００６８】
そして、材料が固化したら、図１９に示すように、成形型５０ａ，５０ｂを離型し、これにより前述した塗布部１９を得ることができる。
【００６９】
このような塗布具１０９の製造方法によれば、構成が簡易で製造が容易であり、製造コストを低減できる塗布具１０９の製造方法を提供できる。
【００７０】
なお、上記成形型５０ａ，５０ｂの内形形状を変えたり、これら成形型５０ａ，５０ｂ内に中型等を用いることで、上記各実施形態で述べたような形状を呈すると共に加熱用ヒータが一体成形された塗布具を得ることができるというのはいうまでもない。
【００７１】
以上、本発明をその実施形態に基づき具体的に説明したが、本発明は上記実施形態に限定されるものではなく、例えば、上記実施形態においては、特に好適であるとして、塗布材を化粧料とした塗布具１００〜１０９に対する適用を述べているが、化粧料以外の塗布材を塗布するための塗布具に対しても適用可能であり、例えば、絵画用パステルを溶融して塗布するためのペンチングナイフや、主に歯科で用いられるワックスを軟化させる目的で使用されるスパチュラ等に対しても適用可能である。
【図面の簡単な説明】
【００７２】
【図１】本発明の第一実施形態に係る塗布具をキャップと共に示す斜視図である。
【図２】図１に示す塗布具の側面図である。
【図３】図１に示す塗布具の下面図である。
【図４】図１に示す塗布具を下方から見た斜視図である。
【図５】図１に示す塗布具の塗布部の側面図である。
【図６】図４に示す塗布具の分解斜視図である。
【図７】本発明の第二実施形態に係る塗布具の塗布部の横断面図である。
【図８】本発明の第三実施形態に係る塗布具の塗布部を示す斜視図である。
【図９】本発明の第四実施形態に係る塗布具の塗布部を示す斜視図である。
【図１０】本発明の第五実施形態に係る塗布具の塗布部を示す斜視図である。
【図１１】本発明の第六実施形態に係る塗布具の塗布部を示す側面図である。
【図１２】本発明の第七実施形態に係る塗布具の塗布部を示す側面図である。
【図１３】図１２に示す塗布具の塗布部の下面図である。
【図１４】本発明の第八実施形態に係る塗布具の塗布部を示す下面図である。
【図１５】本発明の第九実施形態に係る塗布具の一部破断分解斜視図である。
【図１６】本発明の第十実施形態に係る塗布具の分解斜視図である。
【図１７】図１６中の塗布部を得るインサート成形の様子を説明するための図であり、成形型内に加熱用ヒータを進入配置した状態図である。
【図１８】図１７に続く図であり、インサート成形中の状態図である。
【図１９】図１８に続く図であり、成形型を離型し塗布部を取り出した状態図である。
【符号の説明】
【００７３】
１，２１…把持部、１０，１１，１２，１３，１４，１５，１６，１７，１９…塗布部、１０ａ，１１ａ…袋状空間、１０ｘ，１１ｘ，１２ｘ，１３ｘ，１４ｘ，１５ｘ，１６ｘ，１７ｘ，１９ｘ…本体、１１ｂ…内側の面の凹凸、１２ｃ，１２ｄ，１３ｃ，１４ｃ…塗布面の凹凸の凸部、１２ｅ，１３ｅ，１４ｅ…塗布面の凹凸の凹部、１６ｆ…流路、１６ｇ…開口、２０，４０…加熱用ヒータ、１００，１０１，１０２，１０３，１０４，１０５，１０６，１０７，１０８，１０９…塗布具。
【図１】
2010046265.tif 000003
【図２】
2010046265.tif 000004
【図３】
2010046265.tif 000005
【図４】
2010046265.tif 000006
【図５】
2010046265.tif 000007
【図６】
2010046265.tif 000008
【図７】
2010046265.tif 000009
【図８】
2010046265.tif 000010
【図９】
2010046265.tif 000011
【図１０】
2010046265.tif 000012
【図１１】
2010046265.tif 000013
【図１２】
2010046265.tif 000014
【図１３】
2010046265.tif 000015
【図１４】
2010046265.tif 000016
【図１５】
2010046265.tif 000017
【図１６】
2010046265.tif 000018
【図１７】
2010046265.tif 000019
【図１８】
2010046265.tif 000020
【図１９】
2010046265.tif 000021